(57)【要約】【課題】  屋外で実施するリアプロジェクション方式に用いる映写用のスクリーン構造体を提供する。【解決手段】  所定距離を隔てて対向する２枚の単板ガラス１Ａ，１Ｂの間に密閉構造の中空層５が形成されている複層ガラスの中空層５の中に、スクリーン本体４が配置されているリアプロジェクション方式用スクリーン構造体。【選択図】      図２
2006072123.tif 000002
【特許請求の範囲】
【請求項１】
所定距離を隔てて対向する２枚の単板ガラスの間に密閉構造の中空層が形成されている複層ガラスの前記中空層の中に、スクリーン本体が配置されていることを特徴とするリアプロジェクション方式用スクリーン構造体。
【発明の詳細な説明】
【技術分野】
【０００１】
本発明はリアプロジェクション方式に用いるスクリーン構造体に関し、更に詳しくは、映像を映写するスクリーン本体の耐候性や耐吸湿性を高めることができる構造になっているので、強い日差しや風雨に曝される屋外での使用時にあっても、鮮明な映像を長期に亘って提供することができるリアプロジェクション方式用スクリーン構造体に関する。
【背景技術】
【０００２】
映写技術の１つであるリアプロジェクション方式は、観客を前にして設置された映写スクリーンとその背面側に設置されたプロジェクタとを備え、プロジェクタに内蔵されている映像データをスクリーンの背面から映写する映写方式である。
この方式の場合、プロジェクタからスクリーンまでの光路長を長くし、またプロジェクタに広角レンズを組み込むなどの手段を講ずることにより、大画面の映像を映写することができるので、その映像迫力の点などで人気を博している。
【０００３】
この方式で用いられるスクリーンは、通常、アクリル樹脂を代表例とする透明プラスチックスの単板そのものである。そして、その単板の表面に大画面の映像のコントラストを高めるなどの各種の表面処理が施されている（特許文献１を参照）。
【特許文献１】特開２００４−１１８１６６号公報
【発明の開示】
【発明が解決しようとする課題】
【０００４】
ところで、この方式は、従来から例えばビルのホールや大広間などの広い屋内空間に設置されていたが、最近では、各種イベント会場の屋外表示板としての屋外使用も行われている。
しかしながら、従来のリアプロジェクション方式をそのまま屋外使用に供すると次のような問題が生じてくる。
【０００５】
まず、例えばアクリル樹脂の映写スクリーンは、屋外環境に対してむき出しの状態で使用されることになるので、太陽光の強い紫外線に、直接、曝されたり、また酸性雨などを含む風雨に、直接、曝されることになる。
そのため、アクリル樹脂から成るスクリーンの経時的な劣化が進み、例えばスクリーンの黄変や部分的な変質が起こり、映像の画質低下や映像のゆがみなどが引き起こされる。
【０００６】
このような不都合は、スクリーンそれ自体が充分な耐候性や耐吸湿性を備えていないことに起因しており、その解決のためには、スクリーンを屋外環境の攻撃から保護することが必要になる。
本発明は、リアプロジェクション方式を屋外で使用する場合の上記した問題を解決するために、スクリーンを屋外環境から保護する構造とすることにより、実質的にその耐候性と耐吸湿性を高めたリアプロジェクション方式用スクリーン構造体の提供を目的とする。
【課題を解決するための手段】
【０００７】
上記した目的を達成するために、本発明においては、所定距離を隔てて対向する２枚の単板ガラスの間に密閉構造の中空層が形成されている複層ガラスの前記中空層の中に、スクリーン本体が配置されていることを特徴とするリアプロジェクション方式用スクリーン構造体が提供される。
【発明の効果】
【０００８】
このスクリーン構造体では、映像を映し出すスクリーン本体は複層ガラスにおける密閉構造の中空層の中に配置されて、風雨のような屋外環境から保護されている。また、複層ガラスを構成する単板ガラスとしてＵＶカットガラスを用いることによりスクリーン本体の紫外線劣化も低減する。
すなわち、このスクリーン構造体のスクリーン本体は、実質的にその耐候性や耐吸湿性が向上している。
【発明を実施するための最良の形態】
【０００９】
本発明のスクリーン構造体は、複層ガラスの中空層の中に、映写用のスクリーン本体が封入された構造になっていて、当該スクリーン本体は複層ガラスによって過酷な屋外環境から保護されている。
ここで、複層ガラスとは、高い断熱性、遮熱性、防音性を有し、結露を起こしにくく、快適な室内環境を提供する建築・住宅用のガラス素材として市販されているものである。
【００１０】
この複層ガラスは、所定の間隔を置いて対向配置された２枚の単板ガラスにおける互いの対向面の周縁に、例えば断面が管形状をした所定幅の枠体をスペーサとして介在させ、この枠体と各単板ガラスとをシール材で封着した構造になっている。
したがって、この複層ガラスにおいては、２枚の単板ガラスと枠体が取り囲む箇所は、枠体の幅と同じ厚みを有する密閉構造の中空層（空気層）になっている。そして、例えば断面管形状の枠体の当該管内に吸湿剤を充填し、枠体の管内と上記した中空層との間を連通状態にしておけば、中空層を乾燥状態に維持することができる。
【００１１】
本発明のスクリーン構造体は、上記した複層ガラスの中空層の中にスクリーン本体を封入したものであって、その外観斜視図の１例を図１に示す。そして、図１のII−II線に沿う断面図を図２に示す。また、図１のスクリーン構造体の分解斜視図を図３に、図１の○印で示した箇所Ａの切欠斜視図を図４にそれぞれ示す。
このスクリーン構造体は、図２から明らかなように、対向する２枚の単板ガラス１Ａ，１Ｂの対向面の周縁部に、スペーサとしての枠体２が介在し、この枠体２と単板ガラス１Ａ，１Ｂは例えばブチル系シール材のような１次シール材３を用いて封着されている。
【００１２】
このようにして、枠体２の枠内と２枚の単板ガラス１Ａ，１Ｂで囲まれた箇所には、密閉構造の中空層５が形成される。そして本発明のスクリーン構造体では、ここに映写用のスクリーン本体４が配置される。
したがって、枠体２としては、図２と図３で示したように、その外形が単板ガラス１Ａ，１Ｂの外形よりも少し小さく、また枠内の大きさが配置すべきスクリーン本体４を収容可能な大きさであり、かつその幅がスクリーン本体４の厚さと略等しいかそれよりも少し薄いものを用いる。
【００１３】
そして、樹脂製、アルミ製、スチール製などであってもよいが、断熱性を高めるということを考えると、樹脂製であることが好ましい。
また枠体２は中空な管構造になっていて、管内に吸湿剤２ａを充填できる構造であることが好ましい。中空層５は乾燥状態を維持するので、湿度変化や結露に起因するスクリーン本体４の経時劣化を抑制することができるからである。
【００１４】
そして、図２と図４で示したように、枠体２の外周と単板ガラス１Ａ，１Ｂの周縁部が形成する溝状の凹部には、例えばシリコーン系シール材のような２次シール材６が充填されることにより、スクリーン本体が配置されている中空層５は二重に密閉されている。
本発明のスクリーン構造体は、映写用のスクリーン本体４が複層ガラスの密閉構造の中空層５の中に配置されているので、屋外使用しても、スクリーン本体４は、直接、過酷な屋外環境に曝されることはない。
【００１５】
なお、配置されるスクリーン本体のサイズは格別限定されるものではないが、例えば、４０インチ画面、５０インチ画面、６０インチ画面、７０インチ画面、８０インチ画面、１００インチ画面、１２０インチ画面など適宜な画面サイズ用のものであればよい。
本発明のスクリーン構造体は、用いる単板ガラスを適宜に選択することにより、様々な効果を発揮させることができる。
【００１６】
例えば、単板ガラス１Ａ，１Ｂとして、例えば厚さが３〜６ｍｍのＵＶカットガラスを用いることにより、スクリーン本体の紫外線劣化を低減することができる。
また、単板ガラス１Ａ，１Ｂとして、例えば厚さが３〜６ｍｍの低反射コーティングや防眩コーティングが施された低反射ガラスを用いると、ガラス表面の反射率が下がるので、太陽光の反射によって映像が不鮮明化するという問題の解決にも資する。
【００１７】
また、前面側の単板ガラスとして、光の透過率が高く色もニュートラルである高透過ガラスを用いると、スクリーン本体の映像の色彩を鮮明にすることができる。逆に、前面側の単板ガラスとして、適宜な色彩の着色ガラスを使用することにより、観客のニーズに合わせた映像の濃淡コントラストや色彩を実現することができる。
更に、このスクリーン構造体は屋外に設置されるので、例えば予期せぬときに石などがとんできて単板ガラスが破損することも考えられるが、そのようなことに対処するためには、単板ガラスとして合わせガラスや強化ガラスを用いれば、ガラス片の飛散などに伴う不都合な事態の発生を防止することができる。すなわち、本発明で用いる「単板ガラス」とは、複層ガラスを構成する個々のガラスを意味しており、合わせガラスなど、複数枚のガラスから構成されるガラスパネルを含む概念である。
【００１８】
このような合わせガラスとしては、例えば厚さが２〜３ｍｍの板ガラスの間に、例えばポリエステルフィルムを挟み込んで熱圧着したものを用いることができ、また強化ガラスとしては厚さ４〜６ｍｍのものを用いることができる。
空気層の厚さは、収容するスクリーン本体のサイズや厚みに応じて適宜に選択され、例えば２〜７ｍｍ程度であればよい。
【００１９】
本発明のスクリーン構造体は、単体で屋外に設置して使用するばかりでなく、商業ビル等のエントランス付近の開口部に、通常の窓ガラスと同様に設置して使用することもできる。
【産業上の利用可能性】
【００２０】
このスクリーン構造体は、実際に映像を映写するスクリーン本体が複層ガラス内部の中空層に収容されて外部環境から保護されているので、強い日差しや風雨などに曝される屋外に設置されても、従来に比べ、経時的劣化が起こりにくく、リアプロジェクション方式の屋外展開を可能にする。
また、このスクリーン構造体を、リアプロジェクションＴＶ（ＲＰＴＶ）に組み込むことにより、従来は屋内専用の観があったＲＰＴＶを屋外でも使用することができるようになる。
【図面の簡単な説明】
【００２１】
【図１】本発明のスクリーン構造体の１例の外観を示す斜視図である。
【図２】図１のII−II線に沿う断面図である。
【図３】本発明のスクリーン構造体の分解斜視図である。
【図４】図１のスクリーン構造体の箇所Ａを示す一部切欠斜視図である。
【符号の説明】
【００２２】
１Ａ，１Ｂ  単板ガラス
２          枠体
２ａ        吸湿剤
３          １次シール材
４          スクリーン本体
５          密閉構造の中空層
６          ２次シール材
【図１】
2006072123.tif 000003
【図２】
2006072123.tif 000004
【図３】
2006072123.tif 000005
【図４】
2006072123.tif 000006